(57)【要約】      （修正有）【課題】ハンドル及び防振部材を合理的に組み付けた携帯型刈払機を提供する。【解決手段】操作桿３の前部に刈刃６、歯車ケース７、安全カバー８等の刈刃機構部５を設け、前記操作桿３の後部に、前記刈刃６を前記操作桿３に内装された伝動軸４を介して駆動するための原動機１０を取り付け、前記操作桿３の後部に、前記原動機１０に隣接して、前記後端部３ｂに外嵌される外嵌部２１及び把持部２２を有する側面視横倒しＶ字状ないしアイロン形のハンドル２０を取り付け、該ハンドル２０に、前記原動機１０の出力伝動連結部１１、及び前記原動機１０と前記ハンドル２０との間に配在される防振部材１７を収納し得る収納部２５を設け、前記伝動軸４としてフレキシブルシャフトが用いられるとともに、前記操作桿３の前端側が湾曲せしめられて前記伝動軸４の前端部４ａと前記刈刃６の回転軸３２とが平行に配在されてなる。【選択図】  図１
2005058080.tif 000002
【特許請求の範囲】
【請求項１】
操作桿（３）の前端部（３ａ）に刈刃（６）や安全カバー（８）等からなる刈刃機構部（５）が設けられ、前記操作桿（３）の後端部（３ｂ）に、前記刈刃（６）を前記操作桿（３）に内装された伝動軸（４）を介して駆動するための原動機（１０）が取り付けられてなる携帯型刈払機（１）において、
前記操作桿（３）の後端部（３ｂ）に、前記原動機（１０）に隣接して、前記後端部（３ｂ）に外嵌される外嵌部（２１）及び把持部（２２）を有するハンドル（２０）が取り付けられ、該ハンドル（２０）に、前記原動機（１０）の出力伝動連結部（１１、１３）、及び、前記原動機（１０）と前記ハンドル（２０）との間に配在される防振部材（１７、５１、５２）を収納し得る収納部（２５、２５’）が設けられていることを特徴とする携帯型刈払機。
【請求項２】
前記ハンドル（２０）は、前記防振部材（１７）を介して前記原動機（１０）に連結されていることを特徴とする請求項１に記載の携帯型刈払機。
【請求項３】
前記操作桿（３）の後端部（３ｂ）と前記ハンドル（２０）との間に前記防振部材（５１、５２）が介装されていることを特徴とする請求項１に記載の携帯型刈払機。
【請求項４】
操作桿（３）の前端部（３ａ）に刈刃（６）、歯車ケース（７）、安全カバー（８）等からなる刈刃機構部（５）が設けられ、前記操作桿（３）の後端部（３ｂ）に、前記刈刃（６）を前記操作桿（３）に内装された伝動軸（４）を介して駆動するための原動機（１０）が取り付けられてなる携帯型刈払機（１）において、
前記伝動軸（４）としてフレキシブルシャフトが用いられるとともに、前記操作桿（３）の前端側が湾曲せしめられて前記伝動軸（４）の前端部（４ａ）と前記刈刃（６）の回転軸（３２）とが平行に配在されていることを特徴とする携帯型刈払機。
【請求項５】
前記操作桿（３）の前端部（３ａ）に前記歯車ケース（７）が取り付けられ、該歯車ケース（７）内に、前記伝動軸（４）の前端部（４ａ）が駆動上連結される駆動歯車（３１）と、該駆動歯車（３１）に噛合する前記刈刃（６）の回転軸となる従動歯車（３２）と、が配在されていることを特徴とする請求項４に記載の携帯型刈払機。
【請求項６】
前記刈刃（６）の回転軸（３２）は、前記歯車ケース（７）に片持ち支持されていることを特徴とする請求項４又は５に記載の携帯型刈払機。
【請求項７】
前記安全カバー（８）は、前記刈刃（６）の上面及び外周部を覆うように配在されて、前記歯車ケース（７）に下面側から螺合せしめられるねじ類（４６）により固定されていることを特徴とする請求項４から６のいずれか一項に記載の携帯型刈払機。
【発明の詳細な説明】
【技術分野】
【０００１】
本発明は、操作桿の前端部に刈刃、歯車ケース、安全カバー等からなる刈刃機構部が設けられ、前記操作桿の後端部に、前記刈刃を前記操作桿に内装された伝動軸を介して駆動するための２サイクル内燃エンジン等の原動機が取り付けられてなる携帯型刈払機に関する。
【背景技術】
【０００２】
一般に、携帯型刈払機は、直線状の操作桿の前端部に刈刃、歯車ケース、安全カバー等からなる刈刃機構部が設けられ、前記操作桿の後端部に、前記刈刃を前記操作桿に内装された伝動軸を介して駆動するための原動機（例えば、小型空冷２サイクル内燃エンジン）が取り付けられる。また、前記操作桿には、刈払作業を行うべく前記刈刃機構部を左右に振ったり上下動させるためのハンドル（又はグリップ）が設けられる。このハンドルとして現在主流となっているのは、下記特許文献１等に所載の如くのＵ形ハンドルであるが、他に、下記特許文献２に所載の如くに、前記操作桿に前後一対のグリップを設ける場合もあり、さらに、下記特許文献３に所載のように、前記操作桿の後端部に外嵌される外嵌部及び把持部を有する側面視横倒しＶ字状ないしアイロン形のハンドル（以下、Ｖ形ハンドルと称す）が知られている。該Ｖ形ハンドルを備えた携帯型刈払機においては、通常、前記操作桿における前記Ｖ形ハンドルの前側に側方に突出する副ハンドルが配備される。
【０００３】
このＶ形ハンドルを備えた携帯型刈払機では、前記把持部を手で握って機体を吊持したとき、前記刈刃機構部が下で前記内燃エンジンが上の傾斜姿勢となるとともに、機体長さ方向の重心位置がちょうど前記把持部辺りとなり、さらに、前記把持部及び前記刈刃が略水平となるので、そのままの楽な姿勢で刈払作業を行うことができ、操作性、作業性に優れる。
【０００４】
また、前記携帯型刈払機においては、前記内燃エンジンから前記ハンドルに振動が伝播すると、操作性が低下するため、通常、前記ハンドルと前記内燃エンジン又は前記操作桿との間に防振部材を介装してハンドル防振を行っている。
【０００５】
一方、前記操作桿は、前記特許文献１、２にも見られるように、真っ直ぐ（直桿）のものが用いられるのが普通である。この場合、前記刈刃は地面に平行な面内で回転させる必要があるため、前記刈刃の回転軸と前記操作桿に内装された伝動軸とは所定の交差角度を持つことになる。そのため、前記伝動軸から前記刈刃への動力伝達には、従来、一対の傘歯車を収容した歯車ケースが用いられ、前記刈刃の回転方向が前記伝動軸の回転方向とは逆（刈刃が上から見て左回り）になっている。
【０００６】
それに対し、前記特許文献３に所載のＶ形ハンドルを持つ携帯型刈払機では、前記伝動軸としてフレキシブルシャフトが用いられるとともに、前記操作桿の前端側が湾曲せしめられた曲桿状にして前記伝動軸が前記刈刃の回転軸に直結されているので、逆回転する内燃エンジンが必要となる。
【０００７】
さらに、前記特許文献１に所載の携帯型刈払機では、前記刈刃の回転軸を両持ち支持するようにされている。
【特許文献１】特許第３１７６５７９号公報（第１〜４頁、図１〜図４）
【特許文献２】特開平９−２１５４２１号公報（第１〜６頁、図１〜図１５）
【特許文献３】実開昭５３−１０７５３１号公報（第１〜２頁、図１〜図６）
【発明の開示】
【発明が解決しようとする課題】
【０００８】
前記した特許文献１、２に所載の如くの、現在一般的に用いられている直桿状操作桿にＵ形ハンドル又は前後一対のグリップを設けている携帯型刈払機用の内燃エンジンをそのまま使用して、ハンドルとして前記Ｕ形ハンドル（又は前後一対のグリップ）に代えて、前記Ｖ形ハンドルを使うことが考えられている。この場合、従来のＶ形ハンドル及び内燃エンジンをそのまま組み付けることはできず、その形状等に格別の配慮が要求され、また、ハンドル防振にも工夫が必要とされる。
【０００９】
さらに、従来の携帯型刈払機では、刈刃機構部に、高価な傘歯車が対にして用いられていることや、前記刈刃の回転軸を両持ち支持していること等もあって、歯車ケースを含む重量や容積が大きく、製造コストが高いという問題があった。
【００１０】
本発明の目的とするところは、一般的に用いられている刈払機用内燃エンジンを共用できるようにせしめるとともに、ハンドル及び防振部材が合理的に組み付けられて、操作性、作業性に優れた携帯型刈払機を提供することにある。
本発明の他の目的は、刈刃機構部の重量軽減化、コンパクト化、低コスト化等を図ることにある。
【課題を解決するための手段】
【００１１】
前記の目的を達成すべく、本発明に係る携帯型刈払機は、基本的には、操作桿の前端部に刈刃や安全カバー等からなる刈刃機構部が設けられ、前記操作桿の後端部に、前記刈刃を前記操作桿に内装された伝動軸を介して駆動するための原動機が取り付けられる。
【００１２】
そして、前記操作桿の後端部に、前記原動機に隣接して、前記後端部に外嵌される外嵌部及び把持部を有するハンドルが取り付けられ、該ハンドルに、前記原動機の出力伝動連結部、及び、前記原動機と前記ハンドルとの間に配在される防振部材を収納し得る収納部が設けられていることを特徴としている。
【００１３】
好ましい態様では、前記ハンドルは、前記防振部材を介して前記原動機に連結される。
他の好ましい態様では、前記操作桿の後端部と前記ハンドルとの間に前記防振部材が介装される。
【００１４】
一方、本発明に係る他の態様の携帯型刈払機は、基本的には、操作桿の前端部に刈刃、歯車ケース、安全カバー等からなる刈刃機構部が設けられ、前記操作桿の後端部に、前記刈刃を前記操作桿に内装された伝動軸を介して駆動するための原動機が取り付けられる。      
【００１５】
そして、前記伝動軸としてフレキシブルシャフトが用いられるとともに、前記操作桿の前端側が湾曲せしめられて前記伝動軸の前端部と前記刈刃の回転軸とが平行に配在されていることを特徴としている。
【００１６】
好ましい態様では、前記操作桿の前端部に前記歯車ケースが取り付けられ、該歯車ケース内に、前記伝動軸の前端部が駆動上連結される駆動歯車と、該駆動歯車に噛合する前記刈刃の回転軸となる従動歯車と、が配在されていることを特徴としている。
【００１７】
前記刈刃の回転軸は、好ましくは、前記歯車ケースに片持ち支持され、また、前記安全カバーは、好ましくは、前記刈刃の上面及び外周部を覆うように配在されて、前記歯車ケースに下面側から螺合せしめられるねじ類により固定される。
【発明の効果】
【００１８】
前記の如くの構成とされた本発明に係る携帯型刈払機においては、操作桿の後端部に外嵌される外嵌部及び把持部を有するハンドルに、前記原動機の出力伝動連結部、及び、前記原動機と前記ハンドルとの間に配在される防振部材を収納し得る収納部が設けられているので、前記ハンドル及び防振部材を、前記操作桿に合理的に組み付けることができ、その結果、操作性、作業性が向上する。
【００１９】
また、前記伝動軸としてフレキシブルシャフトが用いられるとともに、前記操作桿の前端側が湾曲せしめられて前記伝動軸の前端部と前記刈刃の回転軸とが平行に配在されていることにより、歯車として高価な傘歯車に代えて安価な平歯車を用いることができるとともに、直桿型用内燃エンジンの流用が可能となる。このため、前記刈刃の回転軸が前記歯車ケースに片持ち支持されていることと相まって、前記刈刃機構部の重量軽減化、コンパクト化、低コスト化等を図ることができる。
【００２０】
さらに、前記安全カバーが前記刈刃の上面及び外周部を覆うように配在されて、前記歯車ケースに下面側から螺合せしめられるねじ類により固定されていることにより、前記ねじ類は、前記刈刃を取り外さないと緩めることができなくなるので、前記安全カバーを容易には取り外すことができない。このため、作業者は、常時安全カバーを付けたまま刈払作業を行わざるを得ず、これによって作業の安全性を確保できる。
【発明を実施するための最良の形態】
【００２１】
以下、本発明の実施の形態を図面を参照しながら説明する。
図１は、本発明に係る携帯型刈払機の第一実施形態を示す全体概略側面図である。
【００２２】
図示の携帯型刈払機１は、前端側が湾曲せしめられた曲桿型操作桿３を有し、該操作桿３の前端部３ａに、回転鋸刃等の刈刃６、歯車ケース７、安全カバー８等からなる刈刃機構部５が設けられ、前記操作桿３の後端部３ｂに、前記刈刃６を前記操作桿３に内装されたフレキシブルシャフトからなる伝動軸４（図２、図３参照）を介して駆動するための原動機としての小型空冷２サイクル内燃エンジン１０が取り付けられている。
【００２３】
該エンジン１０は、例えばＵ形ハンドルが用いられた直桿型刈払機に使用されているもので、その前面側は、図２に示される如くに、外装ケース１２の前面中央部１２Ａが前方に若干突出せしめられるとともに、出力伝動連結部とされる出力軸１１が遠心クラッチドラム１１ａから前方に突出せしめられており、該出力軸１１には前記伝動軸４が一体回動可能に駆動上連結されている。前記外装ケース１２の前記前面中央部１２Ａには、前記出力軸１１をベアリング１６を介して回動自在に支持する円環状の支持隔壁１５が設けられている。前記前面中央部１２Ａにおける前記支持隔壁１５より前側は、ゴム等からなるドーナツ状の防振部材１７の後半部が嵌め込まれる収納部１８となっている。
【００２４】
一方、前記操作桿３の前記後端部３ｂには、前記エンジン１０に隣接して、前記後端部３ｂに外嵌される外嵌部２１及び把持部２２を有する、側面視横倒しＶ字状ないしアイロン形のハンドル（Ｖ形ハンドル）２０が取り付けられている。また、前記操作桿３における前記Ｖ形ハンドル２０の前側において左側方に突出する副ハンドル２８が配備されている。
【００２５】
前記Ｖ形ハンドル２０は、左右二つ割り構造となっており、前記外嵌部２１の前端部２１ａは、ボルト２９、２９により前記操作桿３に締め付け固定されている。斜上方へ立ち上がった前記把持部２２には、前記内燃エンジン１０に備えられる図示しない気化器スロットル弁の開度を制御するためのスロットルレバー２６やエンジン停止スイッチ２７等が組み込まれている。
【００２６】
そして、前記Ｖ形ハンドル２０の後端部２１ｂには、前記出力伝動連結部とされる前記出力軸１１及び前記防振部材１７の前半部を収納し得る収納部２５が設けられている。この収納部２５には、ボルト穴２５ａ、２５ａが設けられた支持隔壁２５Ａが設けられており、該収納部２５における前記ボルト穴２５ａ、２５ａより後側に前記防振部材１７の前半部が嵌め込まれている。
【００２７】
前記防振部材１７は、前記ボルト穴２５ａから該防振部材１７を貫通して前記外装ケース１２側の収納部１５に設けられた雌ねじ部１５ａに螺合せしめられた複数本のボルト２４、２４、・・・により、前記エンジン１０と前記Ｖ形ハンドル２０とに跨って、適度に締め付けられて介装されている。言い換えれば、前記Ｖ形ハンドル２０は、前記防振部材１７を介して前記エンジン１０にボルト２４、２４、・・・で連結されており、前記Ｖ形ハンドル２０の後端面と前記外装ケース１２（の前記前面中央部）の前端面との間には、適度の相対変位を許容する隙間Ｓが形成されている。
【００２８】
このように前記Ｖ形ハンドル２０と前記エンジン１０との間に前記防振部材１７を介装することにより、前記エンジン１０から前記Ｖ形ハンドル２０に振動が伝播し難くなり、操作性、作業性が向上する。
【００２９】
一方、前端側が湾曲せしめられた前記操作桿３の前端部には、前記刈刃機構部５が取着されており、前記操作桿３に内装された前記フレキシブルシャフトからなる伝動軸４の前端側も、前記操作桿３のカーブに沿うように湾曲せしめられている。そして、図３に示される如くに、前記伝動軸４の前端部４ａ（の回転軸線Ｏａ）と前記刈刃６の回転軸線Ｏｂとが平行に配在されている。
【００３０】
詳細には、前記歯車ケース７は、上側筒状部７Ａと、該上側筒状部７Ａに対して前方へ偏心せしめられた下側筒状部７Ｂと、からなっており、前記操作桿３の前記前端部３ａに前記上側筒状部７Ａが外嵌されて、止めねじ３９で取付固定されている。前記上側筒状部７Ａには、前記伝動軸４の前記前端部４ａが挿入されて一体回動可能に取り付けられた駆動歯車３１（の軸部３１Ａ）が、ベアリング３３、３３を介して回動自在に収納されている。また、前記下側筒状部７Ｂには、前記駆動歯車３１に噛合する前記刈刃６の回転軸となる従動歯車３２（の軸部３２Ａ）が、ベアリング３４、３４を介して片持ち支持されて、回動自在に収納されている。
【００３１】
前記刈刃６は、前記従動歯車３２の前記軸部３２Ａにスプライン嵌合せしめられた上側押さえ部材３６と下側押さえ部材３７とで上下から挟持された状態で、前記軸部３２Ａの下端部から形成された雌ねじ部３２ａに螺合せしめられたボルト３５により、前記従動歯車３２に一体回動可能に取り付けられている。従って、前記刈刃６の回転軸とされる前記従動歯車３２は、前記歯車ケース７に片持ち支持されている。
【００３２】
なお、前記ベアリング３４、３４間には、それぞれ前記ベアリング３４、３４のインナレース及びアウタレースに当接するように、インナカラー４１及びアウタカラー４２が介装されている。また、前記下側のベアリング３４（のインナレース）は前記上押さえ部材３６より係止され、前記アウタカラー４２は、止めねじ４４により前記下側筒状部７Ａに係止されている。前記インナカラー４１及び前記アウタカラー４２を介装しているのは、前記ベアリング３４、３４間の距離を適宜広げて、前記軸部３２Ａの支持をより確実なものとせしめるとともに、前記ボルト３５の螺合量を増やして前記従動歯車３７を抜け落ち難くするためである。
【００３３】
前記安全カバー８は、平面視扇形状で断面逆皿形とされ、前記刈刃６の一部（後側）の上面及び外周部を覆うように配在されて、前記歯車ケース７の前記上側筒状部７Ａの底面側に設けられた鍔状部７Ｃに、下面側から螺合せしめられる止めねじ４６により固定されている。
【００３４】
前記した如くのＶ形ハンドル２０を備えた携帯型刈払機１では、前記把持部２２を右手で握って機体を吊持したとき、前記刈刃機構部５が下で前記エンジン１０が上の傾斜姿勢となるとともに、機体長さ方向の重心位置がちょうど前記把持部２２辺りとなり、さらに、前記把持部２２及び前記刈刃６が略水平となる（図１参照）ので、そのままの楽な姿勢で刈払作業を行うことができ、操作性、作業性に優れる。
【００３５】
前記の如くの構成とされた本実施形態の携帯型刈払機１においては、操作桿３の後端部３ｂに外嵌される外嵌部２１及び把持部２２を有する側面視横倒しＶ字状ないしアイロン形のハンドル（Ｖ形ハンドル２０）に、前記エンジン１０の出力伝動連結部とされる出力軸１１、及び、前記防振部材１７を収納し得る収納部２５が設けられているので、Ｖ形ハンドル２０及び防振部材１７を、前記操作桿３に合理的に組み付けることができ、その結果、操作性、作業性が向上する。
【００３６】
また、前記伝動軸４としてフレキシブルシャフトが用いられるとともに、前記操作桿３の前端側が湾曲せしめられて前記伝動軸４の前端部４ａの回転軸線Ｏａと前記刈刃６の回転軸線Ｏｂとが平行に配在されていることにより、歯車として高価な傘歯車に代えて安価な平歯車３１、３２を用いることができるとともに、直桿型用内燃エンジンの流用が可能となる。このため、前記刈刃６の回転軸が前記歯車ケース７に片持ち支持されていることと相まって、前記刈刃機構部５の重量軽減化、コンパクト化、低コスト化等を図ることができる。
【００３７】
さらに、前記安全カバー８が、前記歯車ケース７に下面側から螺合せしめられる止めねじ４６により固定されていることにより、前記止めねじ４６は、前記刈刃６を取り外さないと緩めることができなくなるので、前記安全カバー８を容易には取り外すことができない。このため、作業者は、常時安全カバー８を付けたまま刈払作業を行わざるを得ず、これによって作業の安全性を確保できる。
【００３８】
図４は、本発明に係る携帯型刈払機の第二実施形態を示している。図４において、前述した図１〜図３に示される第一実施形態と同様構成の各部に対応する部分には同一の符号を付して重複説明を省略し、以下においては相違点を重点的に説明する。
【００３９】
図４に示される携帯型刈払機１’も、第一実施形態のものと同様な、前端側が湾曲せしめられた操作桿３及び刈刃機構部５を有し、前記操作桿３の後端部３ｂに、前記刈刃６を前記操作桿３に内装されたフレキシブルシャフトからなる伝動軸４を介して駆動するための原動機としての小型空冷２サイクル内燃エンジン１０’が、Ｖ形ハンドル２０’を介して取り付けられている。
【００４０】
該エンジン１０’は、例えばＵ形ハンドルが用いられた直桿型刈払機に使用されているもので、その外装ケース１２’の前面側には円筒状連接部１３が前方に大きく突出して設けられるとともに、出力伝動連結部とされる出力軸１１’が遠心クラッチドラム１１ａ’から前方に突出せしめられており、該出力軸１１には前記伝動軸４が一体回動可能に駆動上連結され、また、前記円筒状連接部１３内には、短桿３ｃが挿入されて、円筒状防振部材５５を介して保持されている。
【００４１】
一方、前記Ｖ形ハンドル２０’の後端部２１ｂ’には、前記出力伝動連結部とされる出力軸１１’及び前記円筒状連接部１３、並びに、前記短桿３ｃに外嵌されたゴム等からなる円筒状の防振部材５１を収納し得る収納部２５’が設けられている。この収納部２５’は、例えば図５に示される如くに、下面が開口したすり割り構造とされており、ボルト５３・ナット５４で適宜に締め付けることにより、前記防振部材５１を介して前記短桿３ｃ部を保持することにより、前記エンジン１０’を連結するようになっている。また、前記外嵌部２１の前端部２１ａ’においても、円筒状の防振部材５２が前記操作桿３に外嵌されており、前記前端部２１ａ’も、ボルト２９、２９を締め付けることにより、前記操作桿３に前記防振部材５２を介して締め付け固定される。
このような構成とされた本実施形態の携帯型刈払機においても、第一実施形態と略同様な作用効果を得られることは勿論のこと、より良好な防振性能も得られる。
【００４２】
以上、本発明の実施形態について詳述したが、本発明は、前記実施形態に限定されるものではなく、特許請求の範囲に記載された発明の精神を逸脱しない範囲で、設計において、種々の変更ができるものである。
【００４３】
例えば、図示例では、平歯の駆動歯車３１及び従動歯車３２を示したが、適宜の曲がり歯のものを用いれば、歯車ケース７内の軸部３１Ａ、３２Ａを、より安定的に支持せしめることができる。
【産業上の利用可能性】
【００４４】
以上の説明から理解されるように、本発明によれば、一般に用いられている刈払機用内燃エンジンを共用できるようにせしめるとともに、ハンドル及び防振部材を合理的に組み付けることができ、さらに、刈刃機構部の重量軽減化、コンパクト化、低コスト化等を図ることができる。
【図面の簡単な説明】
【００４５】
【図１】本発明に係る携帯型刈払機の第一実施形態を示す全体概略側面図。
【図２】図１に示される携帯型刈払機のＶ形ハンドル周辺を示す部分切欠拡大側面図。
【図３】図１に示される携帯型刈払機の刈刃機構部を示す部分切欠拡大側面図。
【図４】本発明に係る携帯型刈払機の第二実施形態のＶ形ハンドル周辺を示す部分切欠拡大断面図。
【図５】図４のＶ−Ｖ矢視断面図。
【符号の説明】
【００４６】
１      携帯型刈払機
３      操作桿
３ａ    前端部
３ｂ    後端部
４      伝動軸
４ａ    前端軸
５      刈刃機構部
６      刈刃
７      歯車ケース
８      安全カバー
１０    内燃エンジン（原動機）
１１、１３  出力伝動連結部
２０    Ｖ形ハンドル
１７、５１、５２、５５  防振部材
２１    外嵌部
２２    把持部
２５    収納部
３１    駆動歯車
３２    従動歯車
４６    止めねじ
【図１】
2005058080.tif 000003
【図２】
2005058080.tif 000004
【図３】
2005058080.tif 000005
【図４】
2005058080.tif 000006
【図５】
2005058080.tif 000007